(57)【要約】【課題】電気工事業者に頼らずとも例えば町内会及び自治会内の地域住民の手により保守、維持管理が容易に行える防犯灯、防災灯等の低所保守形照明装置を提供する。【解決手段】支持柱１の側面の、人手により保守できる高さの低所に、開閉可能な窓２０および鍵２１を有した本体函２を取り付ける。本体函２内に、電源回路部４と、光源３０、輝度調節機構付き光学レンズ３１およびカラーフィルター３２を有する照明光源部３とを収納する。本体函２の上部に設けた開口部から上方に所定高さの中空構造の光導管５を配設し、支持柱１に取り付ける。光導管５の上端部に、光源３０からの光を反射する凹面反射板６０を有した照射部６を配設し、支持柱１に取り付ける。【選択図】図１
2009009772.tif 000002
【特許請求の範囲】
【請求項１】
人手により保守できる高さの低所に配設された光源と、
所定の照射面積が得られる高さの高所に配設され、前記光源から発せられた光を反射させる照射手段と、
前記光源と照射手段の間に配設され、前記光源の光を前記照射手段に導く光導手段とを備えたことを特徴とする低所保守形照明装置。
【請求項２】
前記光源および光導手段は中空構造のポール内に設けられ、前記照射手段は前記ポールの上端部に設けられていることを特徴とする請求項１に記載の低所保守形照明装置。
【請求項３】
前記光源には、該光源の輝度を調節する輝度調節手段が設けられていることを特徴とする請求項１又は２に記載の低所保守形照明装置。
【請求項４】
前記光源には、該光源の発光色を変更する発光色変更手段が設けられていることを特徴とする請求項１ないし３のいずれか１項に記載の低所保守形照明装置。
【請求項５】
前記光源の配設高さと同程度の低所に、前記光源用の電源回路部が設けられていることを特徴とする請求項１ないし４のいずれか１項に記載の低所保守形照明装置。
【請求項６】
前記光源の配設高さと同程度の低所に、前記光源に電力を供給するための非常電源受電用の電源コードが設けられていることを特徴とする請求項１ないし５のいずれか１項に記載の低所保守形照明装置。
【請求項７】
前記光源は開閉扉付の筐体内に収納され、該開閉扉には鍵が取り付けられていることを特徴とする請求項１に記載の低所保守形照明装置。
【請求項８】
前記光源配設部位付近のポール側面には開閉扉が設けられ、該開閉扉には鍵が取り付けられていることを特徴とする請求項２に記載の低所保守形照明装置。
【発明の詳細な説明】
【技術分野】
【０００１】
本発明は、例えば町内会や自治会などで使用される防犯灯、防災灯等の照明装置に係り、従来の防犯灯、防災灯等としての機能を損なうことなく、地域住民自らの手によって、補修、輝度調節、及び照射色の変更等を可能とした低所保守形照明装置に関する。
【背景技術】
【０００２】
従来の照明装置、例えば防犯灯や防災灯は、光源を高所に配設し、該光源から発する光を直接照射するか又は反射板などで反射させて照射していた。
【０００３】
前記光源を高所に配設する手段としては、例えばコンクリート柱や鋼管ポールの高所に取り付ける方法が用いられていた。
【０００４】
尚、従来の照明装置は、例えば下記引用文献１に記載のものが提案されていた。
【特許文献１】特開２００２−２９８６１７号公報
【発明の開示】
【発明が解決しようとする課題】
【０００５】
上記のように、特許文献１を含めた従来の照明装置は高所に配設されているため、補修、交換、維持管理等が容易ではない。
【０００６】
例えば防犯灯、防災灯は、全国の町内会及び自治会が地域の防犯と防災を目的に設置しているが、その多くが高所に設置されていることもあり、補修、及び輝度／照射色の変更などは電気工事業者に委ねざるを得ず、大規模な災害が発生した場合に維持管理ができず、いざと云う時に役に立たない恐れがある。
【０００７】
また、従来の鋼管ポール一体型の防犯灯、防災灯は、商用電源停電時に非常用電源に接続することが容易ではなく、さらに、設置環境や季節にあわせて輝度を調節することや、照射色を変更することができないという問題があった。
【０００８】
本発明は上記課題を解決するものであり、その目的は、いざと云う時に電気工事業者に頼らずとも例えば町内会及び自治会内の地域住民の手により保守、維持管理が容易に行える低所保守形照明装置を提供することにある。
【課題を解決するための手段】
【０００９】
上記課題を解決するための請求項１に記載の低所保守形照明装置は、人手により保守できる高さの低所に配設された光源と、所定の照射面積が得られる高さの高所に配設され、前記光源から発せられた光を反射させる照射手段と、前記光源と照射手段の間に配設され、前記光源の光を前記照射手段に導く光導手段とを備えたことを特徴としている。
【００１０】
また、請求項２に記載の低所保守形照明装置は、請求項１において、前記光源および光導手段は中空構造のポール内に設けられ、前記照射手段は前記ポールの上端部に設けられていることを特徴としている。
【００１１】
また、請求項３に記載の低所保守形照明装置は、請求項１又は２において、前記光源には、該光源の輝度を調節する輝度調節手段が設けられていることを特徴としている。
【００１２】
また、請求項４に記載の低所保守形照明装置は、請求項１ないし３のいずれか１項において、前記光源には、該光源の発光色を変更する発光色変更手段が設けられていることを特徴としている。
【００１３】
また、請求項５に記載の低所保守形照明装置は、請求項１ないし４のいずれか１項において、前記光源の配設高さと同程度の低所に、前記光源用の電源回路部が設けられていることを特徴としている。
【００１４】
また、請求項６に記載の低所保守形照明装置は、請求項１ないし５のいずれか１項において、前記光源の配設高さと同程度の低所に、前記光源に電力を供給するための非常電源受電用の電源コードが設けられていることを特徴としている。
【００１５】
また、請求項７に記載の低所保守形照明装置は、請求項１において、前記光源は開閉扉付の筐体内に収納され、該開閉扉には鍵が取り付けられていることを特徴としている。
【００１６】
また、請求項８に記載の低所保守形照明装置は、請求項２において、前記光源配設部位付近のポール側面には開閉扉が設けられ、該開閉扉には鍵が取り付けられていることを特徴としている。
【発明の効果】
【００１７】
（１）請求項１〜８に記載の発明によれば、光源等を、人手により保守できる高さの低所に設けたので、光源等の保守、交換、維持管理等を電気工事業者に委ねることなく、人手、例えば町内会及び自治会内の地域住民の手によって容易に実施することができる。
【００１８】
また光源の光を、光導手段を介して前記高さの高所に配設した照射手段に導くように構成したので、照明装置の光源を低所に設けたにも拘らず、所定の照射面積を得ることができる。このため、例えば防犯灯、防災灯としての機能を損なうことはない。
（２）また、請求項２に記載の発明によれば、既設のポール、例えば道路用のポールや防犯灯、防災灯のポールを利用して設置することができ、装置構成が簡単化されるとともに、設置コストが低減される。
（３）また、請求項３に記載の発明によれば、照射光の輝度を、設置環境や季節の変化に応じて、人手、例えば町内会及び自治会の地域住民の手によって容易に調節することができる。
（４）また、請求項４に記載の発明によれば、照射色を、設置環境や季節の変化に応じて、人手、例えば町内会及び自治会の地域住民の手によって容易に変更することができる。
（５）また、請求項５に記載の発明によれば、光源用の電源回路部の保守、交換、維持管理等を電気工事業者に委ねることなく、人手、例えば町内会及び自治会内の地域住民の手によって容易に実施することができる。
（６）また、請求項６に記載の発明によれば、非常電源受電用の電源コード、例えばコンセントプラグ付き電源コードによって、電気工事業者に頼ることなく、人手、例えば町内会及び自治会内の地域住民の手によって、商用電源停電時に代替電力を容易に受電することができる。
（７）また、請求項７、８に記載の発明によれば、不用意な接触を防止することができ、また、いたずらや盗難に対してセキュリティの安全を確保することができる。
【発明を実施するための最良の形態】
【００１９】
以下、図面を参照しながら本発明の実施の形態を説明するが、本発明は下記の実施形態例に限定されるものではない。
【００２０】
図１は本発明の第１の実施形態例の低所保守形照明装置の構成を表し、１は、路面（大地）に所定高さに立設された、例えば道路用の鋼管ポールやコンクリート柱などから成る支持柱である。
【００２１】
この支持柱１の側面の、人が容易に操作できる高さの低所には本体函２（本発明の筐体）が取り付けられている。この本体函２内には、照明光源部３および該光源部３に電源を供給する電源回路部４が収納されている。
【００２２】
この電源回路部４の入力電源としては、例えば商用電源、太陽光電源、車載用バッテリー、エンジン発電機等が用いられ、例えば積層型電気二重キャパシタにより本体函２内電源の安定化を図っている。
【００２３】
前記照明光源部３は、ＬＥＤ（発光ダイオード）、クリプトン球などの光源３０および該光源３０に設けられた輝度調節機構付の光学レンズ３１を有し、さらに該光学レンズ３１にはカラーフィルター３２（本発明の発光色変更手段）が装着可能となっている。
【００２４】
したがって光源３０から発せられる光の輝度は前記レンズ３１により調節され、発光色は前記カラーフィルター３２により変更可能となっている。
【００２５】
本体函２の側面には開閉可能な内部保守用の窓２０（本発明の開閉扉）が設けられ、該窓２０には鍵２１が取り付けられている。
【００２６】
尚、前記電源回路部４は、本体函２内に収納するに限らず、本体函２付近の人が容易に操作できる低所に別個に配設しても良い。
【００２７】
本体函２の上端面は所定径の開口部を有し（図示省略）、該開口部から所定高さ上方には、中空構造の光導管５（本発明の光導手段）が支持柱１の側面に取り付けられている。
【００２８】
この光導管５は光源３０から発せられた光を中空を介して上方に導くものであり、管を曲げて配設する場合は、内壁を白色塗装しておく。
【００２９】
光導管５の上端部には、光導管５内を通して導かれた光を反射させる、例えばステンレス製の凹面反射板６０を備えた照射部６が、支持柱１の側面に取り付けられている。
【００３０】
尚、照射部６は、凹面反射板６０による反射によって適切な照射面積が得られる高さに設置するものである。
【００３１】
上記のように、照明光源部３と照射部６を分離し、それらの間を光導管５で直結する機構としたので、照明光源部３を収納した本体函２を、人が容易に維持管理できる高さの低所に配設することができ、これによって低所作業により、例えば電気工事業者に頼ることなく、地域住民の手によって鍵２１および窓２０を開けて照明光源部３を取替え、光学レンズ３１を輝度調節し（交換も含む）、カラーフィルター３２の色変更を行う（交換も含む）ことが可能となる。
【００３２】
また電源回路部４も低所に配設されているため、交換可能に構成しておけば、地域住民の手によって前記同様に容易に交換することができる。
【００３３】
また本体函２の窓２０には鍵２１が取り付けられているため、本体函２内への不用意な接触を防止することができ、また、いたずらや盗難に対してセキュリティの安全を確保することができる。
【００３４】
尚図１のように、照射部６と光導管５を別個に設けるに限らず、照射部６を除去し、光導管５の上方部位を所定の曲率で下方に折り曲げ、光導管５の上端部の内周面を凹面反射板６０と同様の形状に形成しておき、光源３０からの光を前記内周面により反射させて図１の図示放射状破線のように照射させるように構成しても良い。
【００３５】
この構成によれば、光導管５を照射部６と兼用することになり、照射部６が不要となる。
【００３６】
次に、本発明の第２の実施形態例を図２とともに説明する。図２において図１と同一部分は同一符号をもって示している。図２において図１と異なる点は、本体函２内に、非常電源受電用のコンセントプラグ付き電源コード４０がさらに設けられている点にあり、その他の部分は図１と同一に構成されている。
【００３７】
図２の構成によれば、図１と同様の作用、効果を奏するとともに、コンセントプラグ付き電源コード４０によって所定の非常電源に接続することにより、電気工事業者に頼ることなく、人手、例えば町内会及び自治会内の地域住民の手によって、商用電源停電時に代替電力を容易に受電し、機能を維持することができる。
【００３８】
次に、本発明の第３の実施形態例を図３とともに説明する。図３において図２と同一部分は同一符号をもって示している。
【００３９】
図３において図２と異なる点は、前記支持柱１の代わりに、例えば道路用のポール、防犯灯、防災灯用のポールなどの中空構造の鋼管ポール１１を設け、該鋼管ポール１１内の、人が容易に操作できる高さの低所に、電源回路部４、非常電源受電用のコンセントプラグ付き電源コード４０、照明光源部３（光源３０、光学レンズ３１、カラーフィルター３２）を各々配設し、該照明光源部３の上方に光導管５を配設し、該光導管５および鋼管ポール１１の上端部に凹面反射板６０を有した照射部６を配設し、前記本体函２を除去した点にあり、各部の動作は図２と同様である。
【００４０】
尚、照明光源部３の配設部位付近（低所）の鋼管ポール１１側面には、開閉可能な内部保守用の窓７０（本発明の開閉扉）が設けられ、該窓７０には鍵７１が取り付けられている。
【００４１】
図３の構成によれば、図２と同様の作用、効果を奏するとともに、既設のポール、例えば道路用のポールや防犯灯、防災灯のポールを利用して設置することができ、装置構成が簡単化されるとともに、設置コストが低減される。
【００４２】
尚、本発明は上記実施例に限定されることはなく、例えば光導管５は直線状に限らず、光源からの光を照射手段に導くことができるものであれば、曲線状、傾斜状等、他の形状に構成しても良い。
【図面の簡単な説明】
【００４３】
【図１】本発明の第１の実施形態例を示す構成図。
【図２】本発明の第２の実施形態例を示す構成図。
【図３】本発明の第３の実施形態例を示す構成図。
【符号の説明】
【００４４】
１…支持柱、２…本体函、３…照明光源部、４…電源回路部、５…光導管、６…照射部、１１…鋼管ポール、２０、７０…窓、２１，７１…鍵、３０…光源、３１…輝度調節機構付き光学レンズ、３２…カラーフィルター、４０…コンセントプラグ付き電源コード、６０…凹面反射板。
【図１】
2009009772.tif 000003
【図２】
2009009772.tif 000004
【図３】
2009009772.tif 000005